(57)【特許請求の範囲】
【請求項１】
外付け電話機を接続する発信番号通知サービスの受信機能を有する発信番号通知サービスモニタ機能付き通信端末において、
着信パターンから回線が発信番号通知かどうかを自動認識する手段を設け、
回線が発信番号通知かどうかの設定／記憶する手段を設け、
外付け電話機が発信番号通知サービスの受信機能を有するかどうかの設定／記憶する手段を設け、
外付け電話機への発信番号通知サービスをモニタする発信番号検出回路を設け、
極性反転があり発信番号通知と判定したとき、発信番号通知サービスの受信機能を有していない外付け電話機を回線から切り離すことを特徴とする発信番号通知サービスモニタ機能付き通信端末。
【発明の詳細な説明】
【０００１】
【発明の属する技術分野】
本発明は、外付け電話機を接続する発信番号通知サービスモニタ機能付き通信端末に関する。
【０００２】
【従来の技術】
先ず発信番号通知サービスの概要について説明する。図７は、発信番号通知サービスにおける信号送受を説明する概念図である。発信番号通知サービスでは接続動作を実現するために，各種信号の送受信を行う。すなわち、（１）〜（５）は自動的に行われる発信番号通知サービスにおける各種信号の送受信であり、（６）以降は通常の着信である。
（１）Ｌ１，Ｌ２の極性反転
（２）ＩＤ受信端末起動信号
ＩＤ受信端末に発ＩＤ（発信番号）等を通知する着信であることを伝える信号であり，Ｌ１が電池，Ｌ２が地気の状態で加入者線交換機からＬ２側に送出する。
（３）一次応答信号
ＩＤ受信端末が発ＩＤ等を受信可能となったことを示す信号で，端末の直流回路を閉じることによって行う。
（４）発ＩＤ等信号
加入者線交換機から送出する発ＩＤ等はＩＴＵ−Ｔ勧告Ｖ．２３に準拠したＭＯＤＥＭ信号による。
（５）受信完了信号
発ＩＤ受信端末が発ＩＤ等の受信が終了したことを示す信号で，端末の直流回路を開くことにより行う。
（６）呼出信号
加入者線交換機が端末等に着信があることを伝える信号である。
（７）二次応答信号
端末等が応答したことを示す信号である。
【０００３】
図４は従来例の通信端末と外付け電話機における発信番号通知サービスへの対応を説明する構成ブロック図である。図において、１２はＣＰＵ，ＲＯＭ，ＲＡＭ等からなる制御部、３は入出力部、１４は極性反転検出回路，着信信号検出回路，直流ループ回路等からなる回線制御部、６は通信端末１０と外付け電話機８を切り離すリレー、７は通信網である。
【０００４】
通信端末１０と外付け電話機８との発信番号通知サービスの対応は次のようになる。
１．通信端末１０が発信番号通知サービスの受信機能を有しており、外付け電話機８が受信機能を有していない場合、通信端末１０が発信番号通知サービスを受けることになる。
２．逆に、通信端末１０が発信番号通知サービスの受信機能を有しておらず、外付け電話機８が受信機能を有している場合、外付け電話機８が発信番号通知サービスを受けることになる。
【０００５】
また、通信端末としての通報装置は、各種センサ入力により起動し、指定された通報宛先に自動でダイヤルし、電話回線を介して通報を行うものである。その通報先に設けた受信装置から通報装置に対して電話回線を用い、遠隔操作で通報装置の各種センサ入力状態を読み取り、または、通報装置の出力接点を操作することができる。
【０００６】
これらの通報装置に対しての発信番号通知サービスの利用は、主に通報装置に対して受信装置（センター装置）から各種の遠隔操作や情報の収集を行う際に用いられ、これを用いることにより、通報装置に対する遠隔操作の権利を特定するとともに、設置先ユーザ端末（外付け電話機）を着信信号に対して鳴動させないという利点がある。
【０００７】
図６は従来の発信番号通知サービスの受信機能を持った通報装置の例である。
図において、２５は通報装置、２１は外付け電話機である設置先ユーザ端末、２２は制御部、ＡはＩＤ受信端末起動信号検出回路、Ｂは呼出信号検出回路、Ｃは局線回路（直流シンク回路、モデム等）、Ｄは通報装置センサ入出力回路等である。なお、Ａ，Ｂ回路は共用される場合がある。
【０００８】
加入者回線が発信番号通知サービスの契約を行っている場合、まず、Ｌ１−Ｌ２の極性反転の後、加入者線交換機よりＩＤ受信端末起動信号が入力される。通報装置２５はこの信号をＩＤ受信端末起動信号検出回路Ａで検出し制御部２２にＩＤ受信端末起動信号を検出したことを通知する。制御部２２は、通知を受けるとリレーＥを閉結し、局線回路Ｃにて回線を閉結し、加入者線交換機に対し一次応答信号を送出する。
【０００９】
加入者線交換機は、通報装置２５からの一次応答信号を受信すると、通報装置２５に対しモデム信号により情報等を送信する。通報装置２５は、局線回路Ｃの回路内にあるモデムにて加入者線交換機からの情報を受信した後、リレーＥを開放し、回線を開放することにより加入者線交換機に対し受信完了信号を送出する。
この時通報装置２５は、制御部２２のＣＰＵで、モデムで受信した加入者線交換機からの情報（発信者の電話番号）を認識し、メモリ等に予め登録されている電話番号であれば、通報装置２５に対する遠隔操作のための発信者側からの着信と判断し、次に加入者線交換機から送出される呼出信号に対し、速やかに着信する。
【００１０】
通報装置２５は、その性質上、図に示すように設置先ユーザ端末２１に対し、回線の前段に設置されるのが常である。ここで、発信番号通知サービスを利用するには、回線契約者が発信番号通知サービスの契約を行うので、当然ながら設置先ユーザは発信番号通知の受信機能を持った端末を使用すると考えられる。
発信番号通知サービスの受信は、当該サービスのＩＤ受信端末起動信号が設置先ユーザ端末２１に入力された時、設置先ユーザ端末２１から加入者線交換機に対し一次応答信号として一旦回線を閉結し、その後、加入者線交換機から送信される情報（発信者電話番号）を受信し、その情報を利用して、その後に加入者線交換機から送信される着信信号への対応を行うものである。
【００１１】
発信番号通知サービスの受信機能を持った通報装置２５を使用する場合、発信番号通知サービスの受信機能を持った設置先ユーザ端末２１より先に通報装置２５がＩＤ受信端末起動信号に着信し、回線を閉結してしまうと、設置先ユーザ端末２１は、発信番号通知の情報を受信できなくなる。
また、設置先ユーザ端末２１が、通報装置２５より先にＩＤ受信端末起動信号に着信し、回線を閉結してしまうと通報装置２５が発信番号通知の情報を受信できなくなる。
【００１２】
【発明が解決しようとする課題】
従来、発信番号通知サービスを受ける場合、通信端末（通報装置を含む）と外付け電話機とでは、
１．通信端末が発信番号通知サービスの受信機能を有しており、外付け電話機が受信機能を有していない場合に、外付け電話機がＩＤ受信端末起動信号（ＣＡＲ）に応答してしまうと通信端末は自動応答ができない。
２．逆に、通信端末が発信番号通知サービスの受信機能を有しておらず、外付け電話機が受信機能を有している場合に、通信端末がＩＤ受信端末起動信号を着信と見なして設定より早めに応答すると外付け電話機に着信しない。
３．また、通信端末が発信番号通知サービスの受信機能を有しており、外付け電話機も受信機能を有している場合、ＩＤ受信端末起動信号に通信端末が応答すると外付け電話機は自動応答ができない。また、ＩＤ受信端末起動信号に外付け電話機に応答すると通信端末は自動応答ができない。すなわち、通信端末と外付け電話機の発信番号通知サービスの対応の如何によっては不都合が生じていた。
【００１３】
本発明はこのような点に鑑みてなされたものであり、通信端末と外付け電話機の発信番号通知サービスの対応の如何に係わらず、上記の様な不都合が生じない発信番号通知サービスモニタ機能付き通信端末を提供することを目的とする。
【００１４】
【課題を解決するための手段】
発信番号通知サービスの受信機能を有している通信端末は、回線が発信番号通知であれば、ＩＤ受信端末起動信号の信号を受けて受信完了信号送出までの間、発信番号通知サービスの受信機能を有していない外付け電話機を回線から切り離す。発信番号通知サービスの一次応答信号及び受信完了信号の送出機能を有していない通信端末は、外付け電話機の発信番号通知サービスにおける信号送受をモニタし、通報先の電話番号であれば呼出信号に着信する。
【００１５】
【発明の実施の形態】
上記の課題を解決するために本発明の発信番号通知サービスモニタ機能付き通信端末は、外付け電話機を接続する発信番号通知サービスの受信機能を有する発信番号通知サービスモニタ機能付き通信端末において、着信パターンから回線が発信番号通知かどうかを自動認識する手段を設け、回線が発信番号通知かどうかの設定／記憶する手段を設け、外付け電話機が発信番号通知サービスの受信機能を有するかどうかの設定／記憶する手段を設け、外付け電話機への発信番号通知サービスをモニタする発信番号検出回路を設け、極性反転があり発信番号通知と判定したとき、発信番号通知サービスの受信機能を有していない外付け電話機を回線から切り離すことに特徴を有している。
【００１６】
【実施例】
〔第１実施例〕以下、本発明の第１実施例を図面に基づいて説明する。図１は、本発明の発信番号通知サービスモニタ機能付き通信端末の概要構成ブロック図である。図において、２はＣＰＵ，ＲＯＭ，ＲＡＭ等からなる制御部、３は入出力部、４は極性反転検出回路，着信信号検出回路，直流ループ回路等からなる回線制御部、５は発信番号を検出してモニタする発信番号検出回路、６は通信端末１と外付け電話機８を切り離すリレー、７は通信網である。
【００１７】
着信パターンから回線が発信番号通知かどうかを自動認識する手段を回線制御部４の着信信号検出回路に設け、回線が発信番号通知かどうかの設定／記憶する手段として制御部２のＲＡＭを使用する。また、外付け電話機が発信番号通知サービスの受信機能を有するかどうかの設定／記憶する手段として制御部２のＲＡＭを使用する。さらに、外付け電話機への発信番号通知サービスをモニタする発信番号検出回路が設けられている。回線のＬ１，Ｌ２極性反転、回線が発信番号通知であることを検出すると、外付け電話機８が発信番号通知サービスの受信機能を有していない場合には、リレー６にて外付け電話機８を受信完了信号の送出終了まで切り離す。外付け電話機８が発信番号通知サービスの受信機能を有している場合には、一時応答せずに（外付け電話機８が一時応答）高抵抗で発信番号検出回路５にて発信番号をモニタする。
【００１８】
図２は、本発明における発信番号通知サービスモニタ機能付き通信端末の動作を説明するフローチャート図である。図において、記号Ｓに続く数はステップ番号を示している。
〔Ｓ１〕発信番号自動検出において、回線制御部４の着信信号検出回路が検出パターンにより、通信網７の着信パターンがＩＤ受信端末起動信号（ＣＡＲ）かどうか判定する。ＣＡＲであればＳ２に進み、その他であればＳ４に進む。
〔Ｓ２〕発信番号通知回線である。
〔Ｓ３〕発信番号通知回線，通常回線の判定内容が制御部２のＲＡＭに記憶される。
〔Ｓ４〕通常回線である。
【００１９】
図３は、本発明における発信番号通知サービスモニタ機能付き通信端末の動作を説明する他のフローチャート図である。
〔Ｓ１１〕待機状態において、回線制御部４の極性反転検出回路によって極性反転が検出される。
〔Ｓ１２〕回線種別により、通常回線であればＳ１３に進み、ＩＤ受信端末起動信号、すなわち発信番号通知であればＳ１５に進む。
〔Ｓ１３〕以下通常状態となる。
〔Ｓ１５〕外付け電話機８が発信番号通知サービスの受信機能を有していればＳ１６に進み、受信機能を有していなければＳ１９に進む。
〔Ｓ１６〕発信番号検出回路５にて外付け電話機８への発信番号をモニタする。
〔Ｓ１７〕外付け電話機８は自動応答の後、通常の着信音である呼出信号待ちの状態となる。
〔Ｓ１９〕外付け電話機８をリレー６にて切り離す。
〔Ｓ２０〕発信番号検出回路５にて発信番号を検出した後、発信番号通知サービスの受信完了信号を通信網７に送出する。
〔Ｓ２１〕通信端末１は通常の着信音である呼出信号待ちの状態となる。
【００２０】
【発明の効果】
以上説明したように、本発明の発信番号通知サービスモニタ機能付き通信端末は、回線が発信番号通知かどうかの設定／記憶する手段を設け、外付け電話機が発信番号通知サービスの受信機能を有するかどうかの設定／記憶する手段を設け、外付け電話機への発信番号通知サービスをモニタする発信番号検出回路を設け、極性反転があり発信番号通知と判定したとき、発信番号通知サービスの受信機能を有していない外付け電話機を回線から切り離すようにしたので、
発信番号通知サービスの受信機能を有していない外付け電話機が発信番号通知サービスにより鳴動したり、この鳴動でオフフックすると着信が放棄される等の問題が回避される。また、発信番号通知サービスの受信機能を有する外付け電話機をモニタして、通報先の電話番号に対して呼出信号に確実に着信することができる。すなわち、正常な動作が保証される。
【図面の簡単な説明】
【図１】  本発明の第１実施例における発信番号通知サービスモニタ機能付き通信端末の概要構成ブロック図である。
【図２】  本発明の第１実施例における発信番号通知サービスモニタ機能付き通信端末の動作を説明するフローチャート図である。
【図３】  本発明の第１実施例における発信番号通知サービスモニタ機能付き通信端末の動作を説明する他のフローチャート図である。
【図４】  従来例における通信端末の概要構成ブロック図である。
【図５】  他の従来例における通信端末の概要構成ブロック図である。
【図６】  発信番号通知サービスにおける信号送受を説明する概念図である。
【符号の説明】
１，１０  通信端末
２，１２  制御部
３  入出力部
４，１４  回線制御部
５  発信番号検出回路
６  リレー
７  通信網
８  外付け電話機
２０，２５  通報装置
２１  設置先ユーザ端末
２２  制御部
【図１】
0003889159.tif 000002
【図２】
0003889159.tif 000003
【図３】
0003889159.tif 000004
【図４】
0003889159.tif 000005
【図５】
0003889159.tif 000006
【図６】
0003889159.tif 000007
【図７】
0003889159.tif 000008